(57)【要約】【課題】床面の上方に舞台用単板を並べて支持して舞台を形成する舞台装置において、該舞台装置から一部の単板を取り除いて形成した開口部より出演者が迫り上り、又は降下する場合に、該出演者に危険を及ぼすような突起物がなく、舞台下の空間の利用が容易で、又、舞台装置の模様換えを素早く行なうことができるような安全で便利な舞台装置を提供する。【解決手段】それぞれ隣り合う単板１を、その端部において門形支持部材２の上面に着脱自在に係止すると共に、該門形支持部材２を、その下端部において前記床面Ｆに敷設した細長いスリット３ａを有する定盤３に、移動可能に係止した。【選択図】図１
2008261146.tif 000002
【特許請求の範囲】
【請求項１】
床面の上方に舞台用単板を並べて支持して舞台を形成する舞台装置において、それぞれ隣り合う単板をその端部において両柱部と梁部とからなる門形支持部材の上面に着脱自在に係止すると共に、該門形支持部材をその下端部において前記床面に移動可能に係止する舞台装置。
【請求項２】
前記柱部及び梁部はアルミニウム製のトラスからなる請求項１に記載の舞台装置。
【請求項３】
前記床面に、前記門形支持部材が移動する方向に凹溝を形成し、該凹溝の側壁の上端部に該凹溝の内方に突出する係合突条を設けると共に該係合突条の先端部に前記凹溝に沿ってスリットを形成し、前記柱部の下端部から前記スリット内に移動自在に挿通するガイド杆を突出し、該ガイド杆の下端部に、前記凹溝内に存して前記係合突条の下面に係脱する係止体を有する請求項１又は請求項２に記載の舞台装置。
【請求項４】
前記門形支持部材の上端面に、前記舞台用単板の端部が該上端面の中間位置まで載置したとき又は前記舞台用単板の端部が該上端面の略全面に至るように載置したときに該上端面から上方に突出する嵌合ロッドが前記舞台用単板の下部に形成されている嵌合体に着脱自在に嵌合するように形成した請求項１乃至請求項３のいずれか１に記載の舞台装置。
【発明の詳細な説明】
【技術分野】
【０００１】
本発明は各種の演劇や音楽等に利用する舞台装置に関する。
【背景技術】
【０００２】
従来この種の舞台装置の１例としての組立式の構造体は、図８の如く矩形状を呈する天板ａと、該天板下面を載置支持する折畳み脚ｂとから成る組立式床構造において、天板ａは、その各角隅部に連結孔ｃを形成し、折畳み脚ｂは、外パイプと内パイプからなる４本の伸縮ロック式脚材ｄを備え、少なくとも、天板ａ同士が隣接する側に配される脚材の内パイプの上端部に、対応する天板ａの連結孔ｃ内に嵌合する連結棒ｅと隣接する天板ａの連結孔ｃ内に嵌合する連結棒ｅとを有する支持部材ｆを着脱可能に取り付け、該支持部材ｆは図９の如くフランジ板ｇの四隅の隅部にそれぞれ前記連結棒ｅを突設して構成されている（特許文献１参照。）。
【０００３】
【特許文献１】特開平７−１２７２９６号公報
【発明の開示】
【発明が解決しようとする課題】
【０００４】
前記組立式構造体の舞台装置によれば、折畳み脚ｂ上に並べられている天板ａ中の１枚の天板ａを撤去し、この撤去した天板ａの個所の空間の個所の下方に階段や迫り或いはリフトを仮設し、該階段を利用して或いは迫りやリフトを上昇して俳優や歌手等の演者が舞台の下方から前記空間を通って舞台上に現われるときに、該空間の四隅の隅部に、前記撤去した天板をその隅部で支持していた前記フランジ板ｇや連結棒ｅの１部が内方に突出しているので、前記演者の衣装がこれらフランジ板ｇや連結棒ｅに引掛かり、該演者が転倒して負傷する等の危険性がある問題点があった。
【０００５】
又、前記構造体を構成する筋違（斜材）や横桟の存在により、舞台下の空間の利用が制限されるという問題点があった。
【０００６】
更に又、前記舞台装置の配置換えにおいては、前記折畳み脚ｂを分解撤去したり、又は新しく位置決めをした位置に折畳み脚ｂを配置して舞台装置を組立てたりするのに、大変な労力と時間とを要するという問題点があった。
【０００７】
本発明はこれらの問題点を解消し、舞台装置の組立てを短い時間で且つ容易に行なうことができると共に、種々の演出意図に応じて舞台下の空間を有効に利用できるようにし、演者が舞台上に前記開口部より現れる時に危険となる突出物等の無いような舞台装置を提供することを目的とする。
【課題を解決するための手段】
【０００８】
本発明は上記の目的を達成すべく、床面の上方に舞台用単板を並べて支持して舞台を形成する舞台装置において、それぞれ隣り合う単板をその端部において両柱部と梁部とからなるトラス構造の門形支持部材の上面に着脱自在に係止すると共に、該門形支持部材をその下端部において前記床面に移動可能に係止する。
【発明の効果】
【０００９】
本発明の効果として、舞台の配置換えや舞台の奈落位置の変更が容易となると共に舞台下の空間の利用も容易となり、且つ、演者が舞台上に現れる時にも危険のない舞台装置を提供できる。
【発明を実施するための最良の形態】
【００１０】
本発明を実施するための最良の形態の実施例を以下に示す。
【実施例１】
【００１１】
図１は、本発明を適用した舞台装置の実施例の平面図で、一部をカットして示してある。
【００１２】
即ち、舞台の上面は矩形状を呈する複数の単板１を複数の門形支持部材の２の上端面に着脱自在に係止して敷き詰めて形成されている。
【００１３】
前記門形支持部材２は前記単板１と略同一幅に形成されている。
【００１４】
前記門形支持部材２の斜視図を図２に示した。
【００１５】
門形支持部材２は両側の柱部２ａ、２ａと、これら柱部２ａ、２ａの上端部間を連結固定した上部の梁部２ｂからなり、これら柱部２ａ及び梁部２ｂはアルミニウム製のトラス構造から形成されている。
【００１６】
前記門形支持部材２は、床面Ｆに敷設されている係合突条からなる定盤３に、移動可能に係止されている。前記門形支持部材２の各柱部２ａの下端部を前記定盤３に設けた２本のスリット３ａに移動可能に係止する構成を図３に示した。
【００１７】
即ち各柱部２ａの下の床面Ｆには、各２本の凹溝４、４が所定の間隔で、矢印Ａの方向（前記門形支持部材２の移動方向）に細長く形成されている。
【００１８】
又、これら凹溝４の上部は、細長いスリット３ａを有する定盤３で覆ってある。
【００１９】
かくして、各柱部２ａの下には、各２本のスリット３ａが形成されている。
【００２０】
前記スリット３ａは前記凹溝４に沿って細長に形成されており、前記定盤３に頭部を係止可能な２本のボルトからなるガイド杆６が各々前記スリット３ａを挿通して前記柱部２ａの下端部の底板２ｆ上に突出すると共に、該突出したボルト６の先端部に螺着するナットからなる係止体７を前記底板２ｆの上面に当接させて、所望の位置で前記柱部２ａを前記定盤３に係止するように締め付けている。
【００２１】
尚、図３において、８は床面Ｆに埋設され前記凹溝４を形成するみぞ形鋼を固定する補強用鉄板であり、９は該鉄板８を床面のコンクリート中で固定されるアンカーボルトである。
【００２２】
次に、前記単板１を前記門形支持部材２の上端面に着脱自在に係止する構成について説明する。
【００２３】
前記単板１を前記門形支持部材２の上端面に係止する場合、その係止位置は、単板１の端が門形支持部材２の上端面の幅の中心位置にくるように、即ち、単板１が門形支持部材２の上端面の２分の１を覆うようにした第１係止位置と、前記単板１の端と前記門形支持部材２の上端面の端とが一致するように、即ち、単板１が門形支持部材２の上端面を覆うようにした第２係止位置とを有しているのも本発明の特徴である。
【００２４】
これら第１係止位置又は第２係止位置にて単板１と門形支持部材２とを係止させるための位置決め構造について、図４により説明する。
【００２５】
図４は、単板１と門形支持部材２とが前記第１係止位置にある状態を示している。
【００２６】
２ｃは嵌合ロッドで、該嵌合ロッド２ｃは丸い棒状の軸部の下端部に後述する嵌入穴２ｄに嵌入する突出部２ｅを有しており、又、該嵌合ロッド２ｃは前記単板１の端部から下方に向かって突設されている筒状の嵌合体１ａに着脱自在に嵌合するように形成されている。
【００２７】
前記門形支持部材２の上端面部には、前後方向に直列に並んだ４個の嵌入穴２ｄが形成されている。
【００２８】
第１係止位置では、前記上端面部の中心位置寄りの嵌入穴２ｄに前記嵌合ロッド２ｃの下端の突出部２ｅを嵌入させるようにする。
【００２９】
又、単板１と門形支持部材２とを前記第２係止位置に係止させるときは、前記門形支持部材２の上端面部の外寄りの嵌入穴２ｄに前記嵌合ロッド２ｃの下端の突出部２ｅを嵌入させるようにすればよい。
【００３０】
尚、前記第１係止位置は、複数の単板１を相接して敷き詰めるときに用いられ、又、第２係止位置は、舞台に開口部１０を形成するときに用いられる。
【００３１】
次に本発明の舞台装置の使用方法及びその効果について説明する。
【００３２】
複数の単板１を門形支持部材２の上端面に係止して舞台装置を形成するときは、複数の門形支持部材２を定盤３に沿って移動させて、所定ピッチ（前記単板１の長さに略同じ）に並べる必要がある。
【００３３】
前記門形支持部材２を移動させる時には、柱部２ａの下端部の凹溝４内に突出するボルト６とナット７を緩めればよい。
【００３４】
かくして門形支持部材２を所定位置に移動させてから、前記ボルト６とナット７を締め付けて、該門形支持部材２を床面Ｆの該所定位置に固定する。
【００３５】
図５乃至図７は、本発明の舞台装置を組変える一例の転換方法を示す説明図である。又、１０は単板１を取り外して形成した開口部を示す。
【００３６】
このように、開口部１０の周縁部には該開口部１０内へ突出するような突起物が何もないので、出演者の迫り上がり等も安全である。
【００３７】
又、門形支持部材２はトラス構造の両柱部２ａ、２ａと梁部２ｂとからなり、下部の横桟や筋違等の邪魔な物がない構造としたので、舞台下の空間を有効に利用できる。
【００３８】
更に又、舞台を片付けるときには、一連の門形支持部材２が順次定盤３上を移動して床面の一方の片隅へ格納できるので、片付けの手間が少なくて済む効果も有している。
【００３９】
尚、本実施例では、門形支持部材２の各柱部２ａの下の床面Ｆに各２本のスリット３ａを設けるとしたが、これは２本以外の数のスリットを設けるようにしてもよい。
【００４０】
又、前記柱部２ａの下端部と前記定盤３との間に、該定盤３上を転動可能な車輪又はコロを介在させてもよい。
【産業上の利用可能性】
【００４１】
本発明は劇場等の各種舞台装置に利用される。
【図面の簡単な説明】
【００４２】
【図１】本発明の実施例の舞台装置の平面図である。
【図２】前記舞台装置の一部、門形支持部材の斜視図である。
【図３】前記門形支持部材を床面に係止する構造部分の一部縦断面図である。
【図４】前記門形支持部材の上端面部に舞台用単板を係止する構造部分の一部縦断面図である。
【図５】前記舞台装置の組変え前の状況を示す説明図である。
【図６】前記舞台装置を組変えるための転換途中の状況を示す説明図である。
【図７】前記舞台装置を組変えた後の状況を示す説明図である。
【図８】従来の舞台装置の一例の構造を示す説明図である。
【図９】前記従来の舞台装置の一部支持部材の斜視図である。
【符号の説明】
【００４３】
１      舞台用単板（単板）
１ａ    嵌合体
２      門形支持部材
２ａ    柱部
２ｂ    梁部
２ｃ    嵌合ロッド
２ｄ    嵌合穴
３      係合突条（定盤）
６      ガイド杆（ボルト）
７      係止体（ナット）
【図１】
2008261146.tif 000003
【図２】
2008261146.tif 000004
【図３】
2008261146.tif 000005
【図４】
2008261146.tif 000006
【図５】
2008261146.tif 000007
【図６】
2008261146.tif 000008
【図７】
2008261146.tif 000009
【図８】
2008261146.tif 000010
【図９】
2008261146.tif 000011